(57)【要約】本発明に係る可視歯清掃研削研磨装置は、本体と、口腔観察装置と、清掃研磨器具とを備える。本体は、清掃研磨器具を駆動することができるだけでなく、口腔観察装置の照明システム、観察システムなどに電源及び制御システムを提供することもできる。観察システムのカメラで撮像された画面は、観察システムの表示装置に適時に送信することができる。これによって、清掃しつつ、携帯電話で清掃研磨器具による歯面の歯石、プラークや色素沈着の清掃過程及び清掃効果をリアルタイムで観察することを実現し、歯に対する清掃及び研削研磨を効果的に行うという目的を達成する。可視歯清掃研削研磨装置の本体又は口腔観察装置には、本発明に係る可視歯清掃研削研磨装置が複数の口腔清掃機能を有し、様々な口腔清掃問題を全面的に解決できるように、噴水器、電動歯ブラシヘッド又は他の歯間清掃器具を取り付けてもよい。【選択図】図１０
2020536610.tif 000002
【特許請求の範囲】
【請求項１】
本体（１００）と、口腔観察装置（２００）と、清掃研磨器具（４００）とを備える可視歯清掃研削研磨装置（９００）であって、
Ａ、前記本体（１００）は、電源システム（１１）と、回路システム（１２）と、制御システム（１３）と、運動システム（１４）と、ハウジング（１５）とを備え、前記電源システム（１１）と前記制御システム（１３）と前記運動システム（１４）とは、前記回路システム（１２）を介して接続されており、前記清掃研磨器具（４００）は、前記運動システム（１４）に接続されて、前記本体（１００）に取り付けられており、
Ｂ、前記口腔観察装置（２００）は、ハウジング（２１）と、照明システム（２３）と、観察システム（２４）と、スイッチ（２６）とを備え、前記照明システム（２３）と前記観察システム（２４）と前記電源システム（１１）と前記スイッチ（２６）とは、前記回路システム（１２）及び前記制御システム（１３）を介して接続されており、前記口腔観察装置（２００）は、前記本体（１００）に接続されており、
Ｃ、前記清掃研磨器具（４００）の作動部は、前記口腔観察装置（２００）の前記観察システム（２４）の視野内にある
ことを特徴とする可視歯清掃研削研磨装置。
【請求項２】
前記運動システム（１４）は、振動を発生可能な振動システム（１４１）であるか、又は回転を発生可能な回転システム（１４２）であることを特徴とする請求項１に記載の可視歯清掃研削研磨装置。
【請求項３】
前記振動システム（１４１）は、振動発生装置（１４−１）と、前記振動発生装置（１４−１）で発生した振動を伝達可能な振動伝達装置（１４−２）とを備え、
前記振動伝達装置（１４−２）は、一端が前記振動発生装置（１４−１）と接続されており、他端が前記清掃研磨器具（４００）と接続されていることを特徴とする請求項２に記載の可視歯清掃研削研磨装置。
【請求項４】
前記振動発生装置（１４−１）は、電磁振動装置であり、電磁発振器、磁気浮上モータ又は圧電変換器を含むことを特徴とする請求項３に記載の可視歯清掃研削研磨装置。
【請求項５】
前記清掃研磨器具（４００）は、前記振動伝達装置（１４−２）に取り外し可能に取り付けられていることを特徴とする請求項３に記載の可視歯清掃研削研磨装置。
【請求項６】
前記清掃研磨器具（４００）は、凹凸嵌合接続方式、締り嵌め接続方式又は回転接続方式で前記振動伝達装置（１４−２）に取り外し可能に取り付けられていることを特徴とする請求項５に記載の可視歯清掃研削研磨装置。
【請求項７】
前記照明システム（２３）及び前記観察システム（２４）は、前記口腔観察装置（２００）の先端（２００−１）に設けられており、前記回路システム（１２）及び前記制御システム（１３）を介して前記本体（１００）と接続されていることを特徴とする請求項１に記載の可視歯清掃研削研磨装置。
【請求項８】
前記口腔観察装置（２００）の先端（２００−１）は、前記本体（１００）に取り外し可能に取り付けられていることを特徴とする請求項７に記載の可視歯清掃研削研磨装置。
【請求項９】
前記口腔観察装置（２００）の先端（２００−１）は、回転接続方式又は凹凸嵌合接続方式で前記本体（１００）に取り外し可能に取り付けられていることを特徴とする請求項７に記載の可視歯清掃研削研磨装置。
【請求項１０】
前記口腔観察装置（２００）の先端（２００−１）は、前記本体（１００）に折り畳み可能に取り付けられていることを特徴とする請求項７に記載の可視歯清掃研削研磨装置。
【請求項１１】
前記口腔観察装置（２００）の先端（２００−１）は、回転軸運動機構又は凹凸嵌合機構を介して前記本体（１００）に折り畳み可能に取り付けられていることを特徴とする請求項９に記載の可視歯清掃研削研磨装置。
【請求項１２】
前記清掃研磨器具（４００）は、研削研磨機能を有する研磨作動部（４００−１）を備え、その幾何形状について、テーパ形清掃研磨ヘッド（４０１）、球形清掃研磨ヘッド（４０２）、平面清掃研磨ヘッド（４０３）を含むことを特徴とする請求項１に記載の可視歯清掃研削研磨装置。
【請求項１３】
前記研磨作動部（４００−１）には、研磨ジェル又は歯磨剤を収容可能な軟性収容チャンバー（４００−２）が設けられていることを特徴とする請求項１に記載の可視歯清掃研削研磨装置。
【請求項１４】
可視歯清掃研削研磨装置（９００）であって、前記可視歯清掃研削研磨装置（９００）の前記本体（１００）には、前記本体（１００）の前記運動システム（１４）と接続されている電動歯ブラシヘッド（４０６）が取り付けられていることを特徴とする請求項１に記載の可視歯清掃研削研磨装置。
【請求項１５】
前記電動歯ブラシヘッド（４０６）の作動部（４０６−１）は、前記口腔観察装置（２００）の観察システム（２４）の視野範囲内にあることを特徴とする請求項１４に記載の可視歯清掃研削研磨装置。
【請求項１６】
可視歯清掃研削研磨装置（９００）であって、前記可視歯清掃研削研磨装置（９００）の前記本体（１００）又は前記口腔観察装置（２００）には、歯間清掃器具（４００−９）が取り付けられ、前記歯間清掃器具（４００−９）は、歯間ブラシ（４０７）、デンタルフロス（４０８）、噴水器（４０９）、異物鉗子（４１０）又はブラシ（４１１）を含むことを特徴とする請求項１に記載の可視歯清掃研削研磨装置。
【請求項１７】
前記歯間ブラシ（４０７）のブラシヘッド（４０７−１）、前記デンタルフロス（４０８）のフロス（４０８−１）、前記噴水器（４０９）で噴射される水ジェット、前記異物鉗子（４１０）の顎部（４１０−１）及び前記ブラシ（４１１）のヘッド（４１１−１）は、前記口腔観察装置（２００）の観察システム（２４）の視野範囲内にあることを特徴とする請求項１６に記載の可視歯清掃研削研磨装置。
【請求項１８】
前記歯間清掃器具（４００−９）は、接続機構（３００）を介して前記口腔観察装置（２００）に取り外し可能に取り付けられていることを特徴とする請求項１６に記載の可視歯清掃研削研磨装置。
【請求項１９】
前記接続機構（３００）は、回転接続機構、凹凸嵌合接続機構又は締り嵌め接続機構であることを特徴とする請求項１８に記載の可視歯清掃研削研磨装置。
【請求項２０】
前記噴水器（４０９）は、スプレーヘッド（４０９−１）と、水タンク（４０９−２）と、水管（４０９−３）と、噴水スイッチ（４０９−４）と、加圧器（４０９−５）とを備え、
前記水タンク（４０９−２）及び前記加圧器（４０９−５）は、前記本体（１００）のハウジング（１５）に取り付けられており、
前記スプレーヘッド（１１）は、前記口腔観察装置（２００）の先端（２００−１）の観察システム（２４）の近傍に取り付けられていることを特徴とする請求項１６に記載の可視歯清掃研削研磨装置。
【請求項２１】
前記加圧器（４０９−５）は、電動加圧器（４０９−５１）であることを特徴とする請求項２０に記載の可視歯清掃研削研磨装置。
【請求項２２】
前記電動加圧器（４０９−５１）は、電動空圧器又は電動水圧器（４０９−５１−２）であることを特徴とする請求項２１に記載の可視歯清掃研削研磨装置。
【請求項２３】
前記電動水圧器（４０９−５１−２）は、水中ポンプ（４０９−５１−２１）又は吸水ポンプであることを特徴とする請求項２２に記載の可視歯清掃研削研磨装置。
【請求項２４】
前記噴水器（４０９）のスプレーヘッド（４０９−１）は、前記口腔観察装置（２００）の先端（２００−１）のハウジング（２１）に内蔵可能であることを特徴とする請求項１６に記載の可視歯清掃研削研磨装置。
【請求項２５】
前記噴水器（４０９）は、前記歯間ブラシ（４０７）、デンタルフロス（４０８）、異物鉗子（４１０）又はブラシ（４１１）と併せて使用可能であることを特徴とする請求項１６に記載の可視歯清掃研削研磨装置。
【請求項２６】
前記噴水器（４０９）で噴射される水ジェットの方向は、前記歯間ブラシ（４０７）又はデンタルフロス（４０８）が歯間に入る方向とほぼ一致することを特徴とする請求項２０に記載の可視歯清掃研削研磨装置。
【発明の詳細な説明】
【技術分野】
【０００１】
本発明は、口腔清掃用器具に関し、特に歯、歯間及び口腔を清掃するための可視歯清掃研削研磨装置に関する。
【背景技術】
【０００２】
長時間にわたって歯をきれいに清掃せず、又は長期間に喫煙、茶飲み、飲酒をする場合、歯面に歯石、プラーク、色素沈着などの歯の問題が非常に発生しやすい。現在、歯石、プラーク、色素沈着などの歯の問題を解消するには、専門口腔病院で歯のクリーニングを行うのが通常の手段である。
【０００３】
現在、歯のクリーニングの過程において、歯石、プラーク、色素沈着を除去するには、高速回転又は振動するスケーラーの作動ヘッドを口腔内に挿入し、作動ヘッドの摩擦又は振動作用下で、プラークを落し、歯面の汚物を粉砕し、歯石、プラーク、色素沈着の清掃という目的を達成する方法が一般的に用いられる。
【０００４】
作動ヘッドを口腔内部まで挿入する必要があるので、口腔内部が極めて暗く、口腔内の状況を明瞭に観察することが非常に困難であることから、従来技術では、一般的には、患者の口腔内の歯石、プラーク、色素沈着、舌苔などを清掃するには、歯医者が歯科クリニック内で専用機器により、歯科治療作業台又は歯科治療椅子を使用して行わなければならない。
【０００５】
患者は、自分で家にいる場合、従来技術の口腔清掃機器により自ら自分の口腔内の歯石、プラーク、色素沈着などを清掃することが困難である。通常、舌苔清掃器、様々な歯ブラシ又は噴水器でしか歯、舌背を清掃できない。これらの清掃操作について、口腔内が暗く、又は清掃部位が遮られ、観察されにくいので、患者は、感覚でしか操作できない。通常の場合、清掃を必要とする部位を清掃できず、かえって清掃を必要としない部位が絶えず繰り返して清掃されることになり、歯の過度損傷を起こし、特に、患者が高速回転又は振動する器具により清掃する場合、例えば、高速研磨ヘッド、超音波研磨ヘッド、歯科用バーなどの器具により自ら自分の口腔を清掃する場合、作動ヘッドがいったん作動部位からずれると、不測の損傷が極めて発生しやすい。
【０００６】
従来技術のこれらの不都合を克服するために、患者が自ら家で携帯電話の表示画面により可視状態で歯又は舌苔などの部位に対して相応的に定点清掃、研削、研磨を行うことができる器具を開発する必要がある。
【発明の概要】
【０００７】
本発明に係る可視歯清掃研削研磨装置は、可視状態で専用清掃研磨器具により歯に対して清掃、研削、研磨を行い、歯石、プラーク、色素沈着などの口腔問題を効果的に解決することができる。
【０００８】
本体１００と、口腔観察装置２００と、清掃研磨器具４００とを備える可視歯清掃研削研磨装置９００であって、
Ａ、前記本体１００は、電源システム１１と、回路システム１２と、制御システム１３と、運動システム１４と、ハウジング１５とを備え、前記電源システム１１と前記制御システム１３と前記運動システム１４とは前記回路システム１２を介して接続され、前記清掃研磨器具４００は前記運動システム１４に接続されて前記本体１００に取り付けられており、
Ｂ、前記口腔観察装置２００は、ハウジング２１と、照明システム２３と、観察システム２４と、スイッチ２６とを備え、前記照明システム２３と前記観察システム２４と前記電源システム１１と前記スイッチ２６とは、前記回路システム１２及び前記制御システム１３を介して接続され、前記口腔観察装置２００は、前記本体１００に接続されており、
Ｃ、前記清掃研磨器具４００の作動部は、前記口腔観察装置２００の前記観察システム２４の視野内にあることを特徴とする可視歯清掃研削研磨装置９００である。
【０００９】
本発明において、前記観察システム２４は、撮像システム２４−１であってもよい。前記撮像システム２４−１は、カメラ２４−１−１と、データ処理及び出力システム２４−１−２と、表示装置２４−１−３とを備える。前記カメラ２４−１−１で撮像された画面は、前記データ処理及び出力システム２４−１−２を介して前記表示装置２４−１−３に適時に送信することができる。前記表示装置２４−１−３は、スマートフォン２４−１−３１、コンピュータ２４−１−３２、液晶表示装置／テレビ２４−１−３３又はタブレットコンピュータ２４−１−３４であってもよい。
【００１０】
本発明に係る可視歯清掃研削研磨装置は、口腔観察装置と清掃研磨器具を効果的に組み合わせたものである。前記回路システム１２及び前記制御システム１３は、前記運動システム１４が前記清掃研磨器具４００を駆動して作動させるように前記電源システム１１を前記運動システム１４に接続することができるだけでなく、前記口腔観察装置２００の照明システム２３と、観察システム２４と、スイッチ２６とを接続して前記口腔観察装置２００に作動に必要な電力を供給し、前記口腔観察装置２００が作動するように制御することもできる。したがって、本願において、前記本体１００は、前記清掃研磨器具４００を駆動することができるだけでなく、前記口腔観察装置２００の照明システム２３、観察システム２４などに電源及び制御システムを提供し、前記観察システム２４のカメラ２４−１−１で撮像された画面をスマートフォン２４−１−３１などのような前記観察システム２４の表示装置２４−１−３に適時に送信することもできる。これによって、清掃しつつ、携帯電話で清掃研磨器具４００による歯面の歯石、プラークや色素沈着の清掃過程及び清掃効果をリアルタイムで観察することを実現し、歯に対する清掃及び研削研磨を効果的に行うという目的を達成する。
【００１１】
さらには、前記運動システム１４は、振動を発生可能な振動システム１４１であるか、又は回転を発生可能な回転システム１４２である。
【００１２】
前記振動システム１４１は、振動発生装置１４−１と、前記振動発生装置１４−１で発生した振動を伝達可能な振動伝達装置１４−２とを備え、前記振動伝達装置１４−２は、一端が前記振動発生装置１４−１と接続されており、他端が前記清掃研磨器具４００と接続されている。
【００１３】
前記振動発生装置１４−１は、電磁振動装置であり、電磁発振器、磁気浮上モータ又は圧電変換器を含む。
【００１４】
前記清掃研磨器具４００は、前記振動伝達装置１４−２に取り外し可能に取り付けられている。通常、前記清掃研磨器具４００は、前記振動伝達装置１４−２の遠端に取り外し可能に取り付けられている。取り外し可能な取付方式により、前記清掃研磨器具４００を前記本体１００から容易に取り外して交換、保管及び携帯を行うことができる。
【００１５】
前記清掃研磨器具４００は、凹凸嵌合接続方式、締り嵌め接続方式又は回転接続方式で前記振動伝達装置１４−２に取り外し可能に取り付けられている。ここでは、出願人は、上記の３つの取り外し可能な接続方式のみを挙げたが、当業者は、本願の保護範囲から逸脱することなく、従来技術と組み合わせて実際の必要に応じて異なる接続方式を設計することができる。
【００１６】
前記照明システム２３及び前記観察システム２４は、前記口腔観察装置２００の先端２００−１に設けられており、前記回路システム１２及び前記制御システム１３を介して前記本体１００と接続されている。前記電源システム１１を接続した後、前記スイッチ２６をオンにすると、前記本体１００は、前記回路システム１２及び前記制御システム１３を介して前記口腔観察装置２００に電気エネルギーを供給し、前記口腔観察装置２００の前記照明システム２３及び観察システム２４を駆動して作動させることができる。
【００１７】
前記口腔観察装置２００の先端２００−１は、前記本体１００に取り外し可能に取り付けられている。前記口腔観察装置２００の先端２００−１は、前記本体１００に取り外し可能に取り付けられていることにより、使用完了後、前記口腔観察装置２００、前記清掃研磨器具４００及び前記清掃研磨器具４００をすべて前記本体から取り外すことができ、別体での保管及び清掃に便利である。
【００１８】
前記口腔観察装置２００の先端２００−１は、回転接続方式又は凹凸嵌合接続方式で前記本体１００に取り外し可能に取り付けられている。ここでは、出願人は、上記の２つの取り外し可能な接続方式のみを挙げたが、当業者は、本願の保護範囲から逸脱することなく、従来技術と組み合わせて実際の必要に応じて異なる接続方式を設計することができる。
【００１９】
前記口腔観察装置２００の先端２００−１は、前記本体１００に折り畳み可能に取り付けられている。使用完了後、前記口腔観察装置２００を折り畳んで保管することができるので、外出の際に、携帯がより便利である。
【００２０】
前記口腔観察装置２００の先端２００−１は、回転軸運動機構又は凹凸嵌合機構を介して前記本体１００に折り畳み可能に取り付けられている。ここでは、出願人は、上記の２つの取り外し可能な接続方式のみを挙げたが、当業者は、本願の保護範囲から逸脱することなく、従来技術と組み合わせて実際の必要に応じて異なる接続方式を設計することができる。
【００２１】
前記清掃研磨器具４００は、研削研磨機能を有する研磨作動部４００−１を備え、その幾何形状について、テーパ形清掃研磨ヘッド４０１、球形清掃研磨ヘッド４０２、平面清掃研磨ヘッド４０３を含む。ここでは、出願人は、上記の幾つかの形状の研磨ヘッドのみを挙げたが、当業者は、本願の保護範囲から逸脱することなく、従来技術と組み合わせて実際の状況に応じて様々な形状の研磨ヘッドを設計することができる。
【００２２】
前記研磨作動部４００−１には、研磨ジェル又は歯磨剤を収容可能な軟性収容チャンバー４００−２が設けられている。研磨ジェル、研磨ペーストや歯磨剤などの清掃剤又は研磨剤は、前記軟性収容チャンバー４００−２内に容易に貯蔵することができる。使用過程に、研磨ジェル、研磨ペーストや歯磨剤を前記軟性収容チャンバー４００−２内に充填でき、前記研磨作動部４００−１の作動時に、前記軟性収容チャンバー４００−２内に圧縮された研磨ジェル、研磨ペーストや歯磨剤は、前記研磨作動部４００−１の清掃効果をさらに向上させることができる。
【００２３】
前記可視歯清掃研削研磨装置９００の前記本体１００には、前記本体１００の前記運動システム１４と接続されている電動歯ブラシヘッド４０６が取り付けられてもよい。電動歯ブラシで歯を広範囲に清掃する必要がある場合、前記清掃研磨器具４００を前記本体１００から取り外し、前記電動歯ブラシヘッド４０６に交換することができる。よって、前記運動システム１４が前記電動歯ブラシヘッド４０６を駆動して作動させ、口腔を清掃するように、前記回路システム１２及び前記制御システム１３により前記電源システム１１を前記運動システム１４に接続できる。
【００２４】
前記電動歯ブラシヘッド４０６の作動部４０６−１は、前記口腔観察装置２００の観察システム２４の視野範囲内にある。
【００２５】
前記可視歯清掃研削研磨装置９００の前記本体１００又は前記口腔観察装置２００には、歯間清掃器具４００−９が取り付けられてもよく、前記歯間清掃器具４００−９は、歯間ブラシ４０７、デンタルフロス４０８、噴水器４０９、異物鉗子４１０又はブラシ４１１を含む。前記歯間清掃器具４００−９は、歯間を効果的に清掃し、あるいは前記清掃研磨器具４００と組み合わせて作動することができるので、清掃過程が便利である。例えば、前記口腔観察装置２００に前記噴水器４０９が設けられている場合、前記清掃研磨器具４００による歯の研削過程において、前記噴水器４０９により作動部位に対して噴水して洗浄し、研削によって除去された歯石、プラーク、汚物などを歯面から適時に洗い流すことができるので、歯の研削過程をより快適で便利にする。
【００２６】
前記歯間ブラシ４０７のブラシヘッド４０７−１、前記デンタルフロス４０８のフロス４０８−１、前記噴水器４０９で噴射される水ジェット、前記異物鉗子４１０の顎部４１０−１及び前記ブラシ４１１のヘッド４１１−１は、前記口腔観察装置２００の観察システム２４の視野範囲内にある。
【００２７】
前記歯間清掃器具４００−９は、接続機構３００を介して前記口腔観察装置２００に取り外し可能に取り付けられている。取り外し可能な接続方式により、必要に応じて異なる前記歯間清掃器具４００−９を交換することができ、例えば、歯間を横方向に清掃する必要がある場合、前記歯間ブラシ４０７の取付を選択でき、歯間を縦方向に清掃する必要がある場合、前記デンタルフロス４０８の取付を選択でき、異物を取り出す必要がある場合、前記異物鉗子４１０又は前記ブラシ４１１の取付を選択すべきである。
【００２８】
前記接続機構３００は、回転接続機構、凹凸嵌合接続機構又は締り嵌め接続機構である。ここでは、出願人は、上記の３つの取り外し可能な接続方式のみを挙げたが、当業者は、本願の保護範囲から逸脱することなく、従来技術と組み合わせて実際の必要に応じて異なる接続方式を設計することができる。
【００２９】
前記噴水器４０９は、スプレーヘッド４０９−１と、水タンク４０９−２と、水管４０９−３と、噴水スイッチ４０９−４と、加圧器４０９−５とを備え、前記水タンク４０９−２、及び前記加圧器４０９−５は、前記本体１００のハウジング１５に取り付けられており、前記スプレーヘッド１１は、前記口腔観察装置２００の先端２００−１の観察システム２４の近傍に取り付けられている。
【００３０】
前記加圧器４０９−５は、電動加圧器４０９−５１である。
【００３１】
前記電動加圧器４０９−５１は、電動空圧器又は電動水圧器４０９−５１−２である。
【００３２】
前記電動水圧器４０９−５１−２は、水中ポンプ４０９−５１−２１又は吸水ポンプである。
【００３３】
前記噴水器４０９のスプレーヘッド４０９−１は、前記口腔観察装置２００の先端２００−１のハウジング２１に内蔵可能である。
【００３４】
前記噴水器４０９は、前記歯間ブラシ４０７、デンタルフロス４０８、異物鉗子４１０又はブラシ４１１と併せて使用可能である。
【００３５】
前記噴水器４０９で噴射される水ジェットの方向は、前記歯間ブラシ４０７又はデンタルフロス４０８が歯間に入る方向とほぼ一致する。前記噴水器４０９が前記歯間ブラシ４０７又は前記デンタルフロス４０８と併せて使用される場合、前記噴水器４０９で噴射される、前記歯間ブラシ４０７又はデンタルフロス４０８が歯間に入る方向とほぼ一致する水ジェットは、前記歯間ブラシ４０７又は前記デンタルフロス４０８による歯間の清掃にさらに寄与することができる。
【００３６】
本発明に係る可視歯清掃研削研磨装置は、本体１００と、口腔観察装置２００と、清掃研磨器具４００とを備える。前記本体１００は、前記清掃研磨器具４００を駆動することができるだけでなく、前記口腔観察装置２００の照明システム２３、観察システム２４などに電源及び制御システムを提供することもできる。前記観察システム２４のカメラ２４−１−１で撮像された画面は、スマートフォン２４−１−３１などのような前記観察システム２４の表示装置２４−１−３に適時に送信することができる。これによって、清掃しつつ、携帯電話で清掃研磨器具による歯面の歯石、プラークや色素沈着の清掃過程及び清掃効果をリアルタイムで観察することを実現し、歯に対する清掃及び研削研磨を効果的に行うという目的を達成する。前記可視歯清掃研削研磨装置９００の前記本体１００又は前記口腔観察装置２００には、本発明に係る可視歯清掃研削研磨装置が複数の口腔清掃機能を有し、様々な口腔清掃問題を全面的に解決できるように、歯間ブラシ４０７、デンタルフロス４０８、噴水器４０９、異物鉗子４１０やブラシ４１１のような電動歯ブラシヘッド４０６又は歯間清掃器具４００−９を取り付けてもよい。特に、清掃研磨器具４００により研削研磨、清掃を行いつつ、噴水器４０９により水で洗浄することで、清掃効率を向上させることができる。
【図面の簡単な説明】
【００３７】
【図１】清掃研磨器具が取り付けられていない、本発明に係る可視歯清掃研削研磨装置の斜視構造模式図である。
【図１−１】清掃研磨器具が取り付けられている、本発明に係る可視歯清掃研削研磨装置の斜視構造模式図である。
【図２】清掃研磨器具が取り外された、本発明に係る可視歯清掃研削研磨装置の正面図である。
【図２−１】図２のＡ−Ａ断面図である。
【図３】テーパ形研磨ヘッドを備える清掃研磨器具の斜視構造模式図である。
【図３−１】平面研磨ヘッドを備える清掃研磨器具の斜視構造模式図である。
【図３−２】軟性収容チャンバー付きの清掃研磨器具の斜視構造模式図である。
【図３−３】図３−２のＢ箇所の拡大図である。
【図４】電動歯ブラシヘッドが取り付けられていない、本発明に係る可視歯清掃研削研磨装置の斜視構造模式図である。
【図４−１】電動歯ブラシヘッドが取り付けられている、本発明に係る可視歯清掃研削研磨装置の斜視構造模式図である。
【図５】歯間ブラシが取り付けられていない、本発明に係る可視歯清掃研削研磨装置の斜視構造模式図である。
【図５−１】歯間ブラシが取り付けられている、本発明に係る可視歯清掃研削研磨装置の斜視構造模式図である。
【図６】デンタルフロスが取り付けられていない、本発明に係る可視歯清掃研削研磨装置の斜視構造模式図である。
【図６−１】デンタルフロスが取り付けられている、本発明に係る可視歯清掃研削研磨装置の斜視構造模式図である。
【図７】異物鉗子が取り付けられていない、本発明に係る可視歯清掃研削研磨装置の斜視構造模式図である。
【図７−１】異物鉗子が取り付けられている、本発明に係る可視歯清掃研削研磨装置の斜視構造模式図である。
【図８】ブラシが取り付けられていない、本発明に係る可視歯清掃研削研磨装置の斜視構造模式図である。
【図８−１】ブラシが取り付けられている、本発明に係る可視歯清掃研削研磨装置の斜視構造模式図である。
【図９】本発明に係る可視歯清掃研削研磨装置が無線方式で表示装置に接続される際の作動原理図である。
【図１０】本発明に係る可視歯清掃研削研磨装置が有線方式で表示装置に接続される際の作動原理図である。
【００３８】
上記の図面において、
符号１００は本体、符号２００は口腔観察装置、符号３００は接続機構、符号４００は清掃研磨器具、符号９００は本発明に係る可視歯清掃研削研磨装置である。
符号２００−１は口腔観察装置の先端、符号２０１はねじ込み接続機構である。
【００３９】
本体において、
符号１１は電源システム、符号１２は回路システム、符号１３は制御システム、符号１４は運動システム、符号１５はハウジングである。
符号１３−１は電源スイッチ、符号１３−２は振動駆動スイッチである。
符号１４−１は振動発生装置、符号１４−２は振動伝達装置、符号１４−２−１は伝達軸接続部、符号１４−２−１１は接続溝、符号１４−２−１２は回転止め凸状段、符号１４−２−１３は接続軸である。
符号１５−１は電気取付空間、符号１５−２は水及び水路取付空間である。
【００４０】
口腔観察装置において、
符号２１はハウジング、符号２３は照明システム、符号２４は観察システム、２６はスイッチである。
符号２４−１は撮像システムである。
符号２４−１−１はカメラ、符号２４−１−２はデータ処理及び出力システム、符号２４−１−３は表示装置である。
符号２４−１−３１はスマートフォン、符号２４−１−３２はコンピュータ、符号２４−１−３３は液晶表示装置／テレビ、符号２４−１−３４はタブレットコンピュータである。
【００４１】
接続機構において、
符号３１は口腔洗浄器を口腔観察装置に取り付けるための位置決めブロック、符号３２は口腔洗浄器を口腔観察装置に取り付けるための位置決めスロット、符号３３は口腔洗浄器を口腔観察装置に取り付けるための係止ブロックである。
【００４２】
清掃研磨器具において、
符号４００−１は清掃研磨作動部、符号４００−２は軟性収容チャンバー、符号４００−９は歯間清掃器具である。
符号４０１はテーパ形清掃研磨ヘッド、符号４０２は球形清掃研磨ヘッド、符号４０３は平面清掃研磨ヘッド、符号４０６は電動歯ブラシヘッド、符号４０７は歯間ブラシ、符号４０８はデンタルフロス、４０９は噴水器、符号４１０は異物鉗子、符号４１１はブラシである。
符号４０７−１はブラシヘッド、符号４０８−１はデンタルフロスのフロス、符号４１０−１は顎部、符号４１１−１はブラシのヘッドである。
符号４０９−１はスプレーヘッド、符号４０９−２は水タンク、符号４０９−３は水管、符号４０９−４は噴水スイッチ、符号４０９−５は加圧器、符号４０９−６は注水口である。
符号４０９−５１は電動加圧器である。
符号４０９−５１−２は電動水圧器、符号４０９−５１−２１は水中ポンプ、符号４０９−５１−２１１は注水システム、符号４０９−５１−２１２は加圧システム、符号４０９−５１−２１３は排水システムである。
符号５１は接続弾性シート、符号５２は取付スロットである。
【発明を実施するための形態】
【００４３】
実施例：本発明に係る可視歯清掃研削研磨装置
図１〜図２−１に示すように、本発明に係る可視歯清掃研削研磨装置は、本体１００と、口腔観察装置２００と、清掃研磨器具４００と、清掃研磨器具４００とを備える。本実施例において、前記口腔観察装置２００には、噴水器４０９が取り付けられている。
【００４４】
本体１００は、電源システム１１と、回路システム１２と、制御システム１３と、運動システム１４と、ハウジング１５とを備える。制御システム１３には、電源スイッチ１３−１及び振動駆動スイッチ１３−２が設けられている。電源スイッチ１３−１及び振動駆動スイッチ１３−２は、ハウジング１５に設けられている。
【００４５】
本実施例において、運動システム１４は、電磁振動駆動機構を採用し、運動システム１４は、振動発生装置１４−１と、振動発生装置１４−１で発生した振動を伝達可能な振動伝達装置１４−２とを備え、振動伝達装置１４−２は、近端が振動発生装置１４−１と接続されており、遠端が清掃研磨器具４００と接続されている。
【００４６】
本実施例において、振動発生装置１４−１は、電磁振動装置であり、電磁発振器、磁気浮上モータ、圧電変換器又は他の形式の電磁振動装置であってもよい。ここでは、出願人は、一つずつ例示して説明しないが、これらは、いずれも本願の保護範囲から逸脱しない。
【００４７】
当然ながら、本体１００内に設けられている運動システム１４は、モータで駆動される機械式回転型の運動システムであってもよいが、ここでは、出願人は、具体的に説明しない。
【００４８】
本実施例において、噴水器４０９を備えるので、本体１００のハウジング１５の内部には、電気取付空間１５−１と、水及び水路取付空間１５−２との２つの部分が設けられている。図２−１に示すように、電気取付空間１５−１内には、電源システム１１、回路システム１２及び制御システム１３が取り付けられている。
【００４９】
電源システム１１と、制御システム１３と、運動システム１４とは、回路システム１２を介して接続されており、電源システム１１は、前記運動システムを駆動して作動させることで、清掃研磨器具４００を駆動して作動させることができる。
【００５０】
口腔観察装置２００は、ハウジング２１と、照明システム２３と、観察システム２４と、スイッチ２６とを備える。スイッチ２６は、本体１００のハウジング１５に設けられている。照明システム２３及び観察システム２４は、口腔観察装置２００の先端２００−１に設けられている。
【００５１】
本実施例において、観察システム２４は、撮像システム２４−１である。撮像システム２４−１は、カメラ２４−１−１と、データ処理及び出力システム２４−１−２と、表示装置２４−１−３とを備える。カメラ２４−１−１で撮像された画面は、前記データ処理及び出力システム２４−１−２により表示装置２４−１−３に適時に送信することができる。図９〜図１０に示すように、表示装置２４−１−３は、スマートフォン２４−１−３１、コンピュータ２４−１−３２、液晶表示装置／テレビ２４−１−３３又はタブレットコンピュータ２４−１−３４であってもよい。
【００５２】
本実施例において、口腔観察装置２００の先端２００−１は、取り外し可能なねじ込み接続機構２０１を介してねじ込み接続方式で本体１００に取り外し可能に接続されている。
【００５３】
回路システム１２及び制御システム１３は、照明システム２３と、観察システム２４と、電源システム１１と、スイッチ２６とを接続することもでき、電源システム１１は、口腔観察装置２００の照明システム２３及び観察システム２４を駆動して作動させることで、口腔観察装置２００の作動を制御することができる。
【００５４】
したがって、本願において、本体１００は、清掃研磨器具４００を駆動することができるだけでなく、口腔観察装置２００の照明システム２３、観察システム２４などに電源及び制御システムを提供し、観察システム２４のカメラ２４−１−１で撮像された画面をスマートフォン２４−１−３１などのような観察システム２４の表示装置２４−１−３に適時に送信することもできる。これによって、清掃しつつ、携帯電話で清掃研磨器具４００による歯間の清掃過程及び清掃効果をリアルタイムで観察することを実現し、歯及び歯間を徹底的に清掃するという目的を達成する。
【００５５】
清掃研磨器具４００は、研削研磨機能を有する研磨作動部４００−１を備える。本実施例において、図１及び図１−１に示すように、研磨作動部４００−１は、幾何形状から見れば、球形清掃研磨ヘッド４０２である。また、図３及び図３−１に示すように、研磨作動部４００−１は、テーパ形清掃研磨ヘッド４０１又は平面清掃研磨ヘッド４０３であってもよい。ここでは、出願人は、上記の幾つかの形状の研磨ヘッドのみを挙げたが、当業者は、本願の保護範囲から逸脱することなく、従来技術と組み合わせて実際の状況に応じて様々な形状の研磨ヘッドを設計することができる。
【００５６】
図３−２及び図３−３に示すように、研磨作動部４００−１には、研磨ジェル又は歯磨剤を収容可能な軟性収容チャンバー４００−２が設けられてもよい。研磨ジェル、研磨ペーストや歯磨剤などの清掃剤又は研磨剤は、軟性収容チャンバー４００−２内に容易に貯蔵することができる。使用過程に、研磨ジェル、研磨ペーストや歯磨剤を軟性収容チャンバー４００−２内に充填でき、研磨作動部４００−１の作動時に、軟性収容チャンバー４００−２内に圧縮された研磨ジェル、研磨ペーストや歯磨剤は、研磨作動部４００−１の清掃効果をさらに向上させることができる。同時に、研磨ジェル、研磨ペーストや歯磨剤が軟性収容チャンバー４００−２内に圧縮されるので、研磨ジェル、研磨ペーストや歯磨剤が飛び散って観察システム２４の画像が不明瞭になることを回避することができる。
【００５７】
本実施例において、清掃研磨器具４００は、振動伝達装置１４−２の遠端に取り外し可能に取り付けられている。取り外し可能な取付方式により、清掃研磨器具４００を本体１００から容易に取り外して交換、保管及び携帯を行うことができる。特に、取り外し可能な取付方式により、他の種類の歯間清掃器具４００−９を使用してさらに清掃する必要がある場合、清掃研磨器具４００を前記本体から取り外し、歯間清掃器具４００−９に交換して歯間をさらに清掃することができる。図５〜図８−１に示すように、歯間清掃器具４００−９は、必要に応じて歯間ブラシ４０７、デンタルフロス４０８、異物鉗子４１０又はブラシ４１１を選択することができる。
【００５８】
本実施例において、清掃研磨器具４００は、凹凸嵌合接続方式で振動伝達装置１４−２に取り外し可能に取り付けられている。振動伝達装置１４−２は、伝達軸接続部１４−２−１を備え、伝達軸接続部１４−２−１には、接続溝１４−２−１１、回転止め凸状段１４−２−１２及び接続軸１４−２−１３が設けられている。清掃研磨器具４００の底部には、接続弾性シート５１及び取付スロット５２が設けられている。取付スロット５２の形状は、伝達軸接続部１４−２−１の外郭と合致する。接続時に、清掃研磨器具４００の取付スロット５２を伝達軸接続部１４−２−１と位置合わせし、僅かな力で下へ押し、接続弾性シート５１が接続軸１４−２−１３の作用下で外側へ弾性変形を生じ、伝達軸接続部１４−２−１が取付スロット５２内に入り始め、接続溝１４−２−１１に到達するまで下へ押し続け、接続弾性シート５１に対する外力を解放し、接続弾性シート５１を元の状態に戻して接続溝１４−２−１１内に押し付ける。このようにして清掃研磨器具４００が振動伝達装置１４−２から抜けることを防止することができる。清掃研磨器具４００を取り外すときに、図１〜図２−１に示すように、力によって清掃研磨器具４００を上へ引き抜けばよい。
【００５９】
当然ながら、清掃研磨器具４００は、締り嵌め接続方式又は回転接続方式などの他の方式で振動伝達装置１４−２に取り外し可能に取り付けられてもよい。ここでは、出願人は、一つずつ例示しない。
【００６０】
図４及び図４−１に示すように、本体１００には、電動歯ブラシヘッド４０６が取り付けられてもよい。電動歯ブラシヘッド４０６を使用して広範囲に歯を磨く必要がある場合、清掃研磨器具４００を本体１００から取り外し、電動歯ブラシヘッド４０６を運動システム１４の振動伝達装置１４−２に取り付け、本体１００は、運動システム１４を介して電動歯ブラシヘッド４０６を駆動して作動させる。電動歯ブラシヘッド４０６の作動部は、口腔観察装置２００の観察システム２５の視野範囲内にある。
【００６１】
口腔内の歯間などの清掃し難い部位に対して定点清掃をさらに行う必要がある場合、清掃研磨器具４００を振動伝達装置１４−２から取り外し、必要に応じて適当な歯間清掃器具４００−９を選択して口腔観察装置２００に取り付け、定点清掃を行う。使用完了後、口腔観察装置２００、清掃研磨器具４００及び歯間清掃器具４００−９をすべて前記本体から取り外すことができ、別体での保管及び清掃に便利である。
【００６２】
図１〜図２−１に示すように、本実施例において、口腔観察装置２００には、噴水器４０９が取り付けられている。噴水器４０９は、スプレーヘッド４０９−１と、水タンク４０９−２と、水管４０９−３と、噴水スイッチ４０９−４と、加圧器４０９−５とを備える。本実施例において、スプレーヘッド４０９−１は、口腔観察装置２００の先端２００−１のハウジング２１に内蔵されている。水タンク４０９−２、及び加圧器４０９−５は、本体１００のハウジング１５の水及び水路取付空間１５−２内に取り付けられている。スプレーヘッド４０９−１は、口腔観察装置２００の先端２００−１の観察システム２４の近傍に取り付けられており、よって、スプレーヘッド４０９−１で噴射される水流が観察システム２４の視野内に保持可能であることを確保し、噴水器４０９の口腔内に対する清掃効果を容易に観察する。
【００６３】
本実施例において、加圧器４０９−５は、電動加圧器４０９−５１である。電動加圧器４０９−５１は、電動水圧器４０９−５１−２である。電動水圧器４０９−５１−２は、水中ポンプ４０９−５１−２１である。
【００６４】
水中ポンプ４０９−５１−２１は、注水システム４０９−５１−２１１と、加圧システム４０９−５１−２１２と、排水システム４０９−５１−２１３とを備える。
【００６５】
図２−１に示すように、水中ポンプ４０９−５１−２１は、水タンク４０９−２の底部に取り付けられており、排水システム４０９−５１−２１１は、水管４０９−３と接続されており、電源システム１１が水中ポンプ４０９−５１−２１に給電すると、加圧システム４０９−５１−２１２が作動し、注水システム４０９−５１−２１１を通って水中ポンプ４０９−５１−２１に入った水を加圧し、その後、噴水スイッチ４０９−４をオンにすることで、加圧後の水が排水システム４０９−５１−２１３を介して、水管４０９−３を通ってスプレーヘッド４０９−１から噴射されて歯を洗浄することができる。
【００６６】
水タンク４０９−２には、注水口４０９−６がさらに設けられており、注水口４０９−６を介して水タンク４０４−２内に水を補給することができる。
【００６７】
本実施例において、噴水器４０９のスプレーヘッド４０９−１が口腔観察装置２００の先端２００−１のハウジング２１に内蔵されるので、口腔観察装置２００の先端は、他の歯間清掃器具４００−９（例えば、歯間ブラシ４０７、デンタルフロス４０８、異物鉗子４１０又はブラシ４１１などの清掃研磨器具）とさらに組み合わせて一体として使用してもよい。口腔の清掃時に、水で洗浄しつつ、必要に応じて歯間ブラシ４０７、デンタルフロス４０８、異物鉗子４１０又はブラシ４１１などの他の清掃研磨器具により同時に清掃し、特に、操作過程を様々な表示装置にリアルタイムで送信し、直視状態で食物残渣に対して正確な定点清掃を行ったり、口腔内の様々な異物を取り出したりすることができるので、清掃効果を大幅に向上させるとともに、使用過程がより安全で便利である。
【００６８】
特に、口腔観察装置２００の直視状態で、清掃研磨器具４００により研削研磨、清掃を行いつつ、噴水器４０９により水で洗浄することで、清掃効率を向上させることができる。
【００６９】
歯間清掃器具４００−９は、接続機構３００を介して口腔観察装置２００の先端２００−１に取り外し可能に取り付けられている。
【００７０】
接続機構３００は、歯間清掃器具４００−９又は口腔観察装置２００に配置可能な独立の部材であってもよく、あるいは前記取り外し可能な機械式接続機構の一部を歯間清掃器具４００−９に配置し、他の部分を口腔観察装置２００に配置することで形成される組合わせ型機械式接続機構であってもよい。
【００７１】
本実施例において、接続機構３００は、凹凸嵌合接続であり、接続機構３００は、スライドスロット接続、ピン接続、キー接続、ねじ込み接続、ねじ接続、バックル接続、フック接続又は締り嵌め接続などであってもよい。当業者は、本特許の保護範囲から逸脱することなく、本発明に開示された技術方案により様々な特定の製品設計を行うことができる。
【００７２】
本実施例において、口腔観察装置２００のハウジング２１には、歯間清掃器具４００−９と接続可能な位置決めスロット３２及び係止ブロック３３が設けられており、歯間清掃器具４００−９における逆Ｔ字形位置決めブロック３１は、位置決めスロット３２内に嵌め込み可能であり、係止ブロック３３は、歯間ブラシ４０７の後方への摺動を阻止可能であり、位置決めブロック３１と、位置決めスロット３２と、係止ブロック３３との連係作用が接続機構３００を構成する。
【００７３】
図５〜図８−１に示すように、歯間ブラシ４０７のブラシヘッド４０７−１、デンタルフロス４０８のフロス４０８−１、噴水器４０９で噴射される水ジェット、異物鉗子４１０の顎部４１０−１及びブラシ４１１のヘッド４１１−１は、口腔観察装置２００の観察システム２４の視野範囲内にある。
【００７４】
本実施例において、噴水器４０９で噴射される水ジェットの方向は、歯間ブラシ４０７又はデンタルフロス４０８が歯間に入る方向とほぼ一致する。このように、歯間ブラシ４０７のブラシヘッド４０７−１又はデンタルフロス４０８のフロス４０８−１が歯間内で往復し、清掃している間、スプレーヘッド４０９−１で噴射される水流は、歯間の食物残渣の洗浄を補助するという作用を奏することができる。
【００７５】
また、図７〜図８−１に示すように、口腔観察装置２００と、異物鉗子４１０及びブラシ４１１のような他の歯間清掃器具４００−９とが接続機構３００を介して接続される過程は、ここで具体的に説明しない。ただし、清掃過程において直接に観察するために、異物鉗子４１０の顎部４１０−１及びブラシ４１１のヘッド４１１−１が観察システム２４の視野範囲内に位置することを確保する必要がある。
【００７６】
使用時に、まず、清掃研磨器具４００を本体１００の運動システム１４に取り付け、口腔観察装置２００が取り付けられた後、電源スイッチ１３−１を押してスイッチ２６をオンにし、口腔観察装置２００を起動し、次いで、振動駆動スイッチ１３−２を押すだけで清掃研磨器具４００により歯間ブラシ、プラーク又は色素沈着を清掃することができる。このとき、口腔観察装置２００の作用下で、口腔清掃過程が表示装置２４−１−３にリアルタイムで表示され、清掃過程及び清掃効果をリアルタイムで観察することができる。
【００７７】
さらなる定点清掃を必要とする部位があれば、場合によって歯間ブラシ４０７、デンタルフロス４０８、異物鉗子４１０又はブラシ４１１などの歯間清掃器具４００−９を、接続機構３００を介して口腔観察装置２００の先端２００−１に取り付けることができる。よって、口腔観察装置２００の観察システム２４による観察下で、歯間清掃器具４００−９により歯間などのさらなる定点清掃を必要とする部位をさらに清掃する。
【００７８】
本発明に係る可視歯清掃研削研磨装置は、清掃しつつ、携帯電話で清掃研磨器具４００による歯面の歯石、プラークや色素沈着の清掃過程及び清掃効果をリアルタイムで観察することを実現し、歯に対する清掃及び研削研磨を効果的に行うという目的を達成することができる。同時に、専用の歯間清掃器具４００−９と併せて使用し、歯間などの清掃し難い部位に対して正確な定点清掃を行うことができる。
【００７９】
本実施例において、電動加圧器４０４−５１は、水中ポンプ４０４−５１−２１である。また、電動加圧器４０４−５１は、電動空圧器又は吸水ポンプなどのような他のタイプの電動水圧器であってもよい。
【００８０】
本発明に係る可視歯清掃研削研磨装置の口腔観察装置２００を使用して可視化清掃を適時に行うとき、左右手の操作が交換されると、表示装置２４−１−３における画面を逆さまにする可能性がある。このとき、表示装置２４−１−３における画面調節ボタンをアクティベートし、例えば、表示装置におけるフローティングボタンをタップするだけで、画面を反転させ、正常な上下歯の関係を保持することができるので、操作しやすい。
【００８１】
また、本発明に係る可視歯清掃研削研磨装置が舌苔、歯肉などの口腔内の軟部組織の清掃に使用される場合、研磨作動部４００−１は、軟性材料で製造され、振動、マッサージ、清掃の作用を奏する。
【００８２】
本発明に係る可視歯清掃研削研磨装置が、例えば歯石、プラーク等の清掃に使用される場合、研磨作動部４００−１は、剛性材料で製造されることができ、例えば、ダイヤモンドバー、インバーテッドコーンバー、研磨ヘッドなどは、具体的な必要に応じて異なる形状に設計され、相応的な材質を選択して製造される。
【００８３】
なお、本明細書で開示され、記載されている各構造は、同じ効果を有する他の構造に置き換えられてもよく、本明細書に記載の実施例は、本発明を実現する唯一の構造ではないことに留意されたい。本明細書では、本発明の好ましい実施例について紹介および説明したが、当業者には、これらの実施例が例示して説明したものに過ぎないことがわかるであろう。当業者は、本発明から逸脱することなく多くの変更、改良および置換を行うことができる。したがって、本発明の保護範囲は、本発明の添付の特許請求の範囲の思想および範囲に従って規定されるべきである。
【図１】
2020536610.tif 000003
【図１−１】
2020536610.tif 000004
【図２】
2020536610.tif 000005
【図２−１】
2020536610.tif 000006
【図３】
2020536610.tif 000007
【図３−１】
2020536610.tif 000008
【図３−２】
2020536610.tif 000009
【図４】
2020536610.tif 000010
【図４−１】
2020536610.tif 000011
【図５】
2020536610.tif 000012
【図５−１】
2020536610.tif 000013
【図６】
2020536610.tif 000014
【図６−１】
2020536610.tif 000015
【図７】
2020536610.tif 000016
【図７−１】
2020536610.tif 000017
【図８】
2020536610.tif 000018
【図８−１】
2020536610.tif 000019
【図９】
2020536610.tif 000020
【図１０】
2020536610.tif 000021
【国際調査報告】
2020536610.tif 000022
2020536610.tif 000023
2020536610.tif 000024
2020536610.tif 000025